(57)【要約】【課題】柱と横架材あるいは横架材同士の接合箇所に用いる金物であって、接合箇所に形成する座掘り作業が簡単であり、また、取付け時に金物が回転して位置ずれが生じるのを防止できる結合金物の提供。【解決手段】結合金物１は、円盤状の基部２と基部２の面に対して下端を固定された板状の差込み部３とからなる。差込み部３は基部側に基部２の直径を越えた張出し部分７を有し、張出し部分７に基部側へ突出した回り止め突起８を有する。座掘り穴は円形であるから、回転工具で簡単に形成できる。結合金物１をビスで取り付けるとき回り止め突起８が梁１１などの表面に係合して結合金具１が回転して位置がずれてしまうのを防止する。【選択図】図１
2009162037.tif 000002
【特許請求の範囲】
【請求項１】
円盤状の基部と基部の面に対して下端を固定された板状の差込み部とからなり、差込み部は基部側に基部の直径を越えた張出し部分を有し、張出し部分に基部側へ突出した回り止め突起を備えていることを特徴とした結合金物。
【請求項２】
基部は、円形である底壁の周囲に一定高さの環状壁を備えて全体が容器形をした円盤状であることを特徴とした請求項１に記載の結合金物。
【請求項３】
差込み部の張出し部分は基部の両側に張り出し、それぞれの張出し部分の先端側に回り止め突起を有していることを特徴とした請求項１又は２に記載の結合金物。
【発明の詳細な説明】
【技術分野】
【０００１】
この発明は、建築物において梁などの横架材に管柱を固定する場合や通し柱に梁などの横架材を固定する場合あるいは大梁間に小梁を固定する場合などに使用する結合金物に関する。
【背景技術】
【０００２】
木造住宅では、柱と横架材（梁など、土台を含む）あるいは横架材同士の接合や補強に金物を用いる工法がある。
特許文献１は、円形の座板５の中心に杆材４を立設して固定した接合金物１とピン９（ドリフトピン）を利用して土台２と柱３を結合した構造を開示している。特許文献２は、ほぞパイプ２に取付プレート３を一体に溶接した固定金物１とドリフトピン１３を利用して梁１１に管柱１２を結合した構造を開示している。
【０００３】
また、特許文献３は、柱に梁の一端を接合する場合や一方の横架材に他方の横架材端部を突き当てて接合する場合に用いる結合金物（接合金物１）を開示している。この結合金物は、背板１１と両側板１２を備えた箱形であり、背板１１にボルト孔１８と一方のボルト孔１８を環状壁で取り囲んだ状態の係止部１５を有し、また、側板１２にあご掛け溝１４を有している。特許文献４は、柱４に固定した受け金具２のあご掛け２４に梁５の端部に連結金具３と共に取り付けた受けボルト６２を係合し、両者にドリフトピン６４を挿し込むことにより、柱４に梁５の端部を接合している。
【０００４】
【特許文献１】特開２００２−  ３８５９２号公報
【特許文献２】特開２００２−１０６０７５号公報
【特許文献３】特開２００１−２０７５３７号公報
【特許文献４】特開２００５−１５５１９６号公報
【発明の開示】
【発明が解決しようとする課題】
【０００５】
特許文献１の接合金物１は、座板５を下方にして杆材４を土台２の貫通孔へ下方から差込、土台２から突出した杆材４に柱脚を挿し込んで柱側から杆材４の孔にドリフトピンを挿し込んで固定することになるが、座板５は円形であるために、取付け時に回転して杆材４の孔がずれてしまい、ドリフトピンが挿し込みにくくなる恐れがある。また、特許文献２の場合も同様であって、ほぞパイプ２は円筒であるために回転が可能で土台側からこのパイプ２へドリフトピン１３を差込みにくくなる恐れがある。
【０００６】
特許文献３の場合は、接合金物１の背板１１にボルト孔１８が２箇所にあるので接合金物１が回転することはないが、背板１１が柱の表面に接して外面に突出する格好となるので、梁の端部を柱の面へぴったりと付けた状態で接合することが難しい。柱側に背板１１を埋め込む座掘りを施せばこの問題は解決できるが、矩形の座掘りは手間を要する。特許文献４の場合も同様であり、受け金具２の背板部を埋め込む矩形の座掘りを行うのに手間を要する。
この発明は、接合箇所に形成する座掘り作業を簡易な工具で簡単に行え、また、取付け時に回転してしまうなどの位置ずれが生じない結合金物の提供を課題とする。
【課題を解決するための手段】
【０００７】
円盤状の基部と基部の面に対して下端を固定された板状の差込み部を備えた金物とする。
差込み部は基部側に基部の直径を越えて張り出す張出し部分を有する。
張出し部分に基部側（下方）へ突出する回り止め突起を設ける。
この金物は、例えば、土台の上面に形成した円形の座掘り穴に基部を沈ませ、基部をビスなどで土台に固定する。このとき、差込み部の張出し部分の回り止め突起が土台の表面に係合し、ビス止めの際に基部が回転してしまうのを防止する。
円盤状の基部とは、ある程度の厚みを有する単なる円盤の他に、円形の底壁とその周囲に形成された一定高さの環状壁を含めた全体として容器形の構成を含む。環状壁は円形の底壁周縁から上方へ立ち上がる場合と下方へ下がる場合とがある。
【発明の効果】
【０００８】
基部を柱あるいは横架材の表面へ沈みこませる座掘りは、基部が円盤状に合わせて、円形に作ればよいので、回転工具により簡単に形成できる。
基部を柱や横架材へビスなどで固定するとき、差込み部下方の張出し部分に設けた回り止め突起が柱などの表面へ食い込み、係合するので、結合金具が回転してしまうのを防止することができる。
基部は厚みのある円盤あるいは円形の底壁とその周囲の環状壁で構成されているので、底壁に対して垂直方向からの力（圧縮力、引張力）及び底壁に対して水平方向からの力（せん断力）による曲げや変形に対して耐力が高く、柱の傾斜が生じにくい。
【発明を実施するための最良の形態】
【０００９】
図１〜３は、第１の実施例であり、横架材と柱頭、柱脚を接合するのに適した結合金物１である。結合金物１は、肉厚３．２ｍｍの鋼板をプレス加工した円盤状の基部２とこれに固定した同じ鋼板からなる板状の差込み部３とからなる。
基部２は外形６０ｍｍの円形とした底壁４とその周囲から立ち上がった環状壁５とからなる。環状壁５の高さは一定で１０ｍｍである。差込み部３は、高さ６０ｍｍ横８８ｍｍのほぼ矩形をした板状であり、この実施例において、上部に固定用のドリフトピン挿通孔６を３個備えている。
【００１０】
差込み部３は、正面視において下辺が基部２の直径より大きいからその両側が張出し部分７となって基部２よりも水平に張り出し、その先端部に回り止め突起８を形成してある。回り止め突起８の突出寸法は下方へ２．５ｍｍである。張出し部分７の下辺はこの実施例において、基部２の上面と面一であり、その部分に回り止め突起８を備えている。なお、差込み部３の下端は、基部２の環状壁５の内側に落ち込んで、底壁４の上面に溶接されている。
符合９は底壁４に設けた固定用のビス孔であり、複数個を形成してある。
【００１１】
図４は、結合金物１を用いて土台１０と梁１１との間に柱１２を追加した構造を模式的に示している。すなわち、まず、土台１０の上面と梁１１の下面に座掘り穴を形成し、これに上下の結合金物１を対向させてそれぞれビスにより固定しておく。ついで、上下両端にすり割りを形成して準備した柱１２を上下の結合金物１の差込み部３の面に沿って平行移動させ、それぞれのすり割りに差込み部３を嵌合させる。そして、柱１２の柱脚、柱頭をドリフトピン１３（３本）で緊締して固定する。結合金物１を土台１０と梁１１にビスで固定するとき、張出し部分７の回り止め突起８がこれら横架材の表面に突き刺さり回り止めとなるので、ビスを回転工具で固定するときにも結合金物１が回転して差込み板３の向きが変わってしまうことがない。
【００１２】
図５，６は、第２の実施例であり、柱１２に対し梁など横架材端部を付き合わせて接合する構造に適した結合金物１４である。実施例１とは差込み部３の構成が異なるが、他は同様なので同じ部分に同じ符号を付して詳しい説明を省略する。この実施例２の差込み部３は、実施例１の柱用の場合における３個のドリフトピン挿通孔６の外側の１個（取付け時には上方となる）が外方に切り欠かれて、図７に示すように、梁１１にあらかじめ挿通してあるドリフトピン１３と係合するあご掛け溝１５に形成されている。
【００１３】
結合金物１４は、図７のように、柱１２に形成した座掘り穴に基部２を嵌め込み、底壁４のビス孔９を通じてビス止めするこの場合も、柱１２に結合金物１４をビスにより固定する際に差込み部３の張出し部分７に形成してある回り止め突起８が柱１２の面に突き刺さって位置決めになると共に回り止めとなる。
【００１４】
図８は、左右の柱１２，１２間に梁成の大きな梁１１を取り付けた構造を示し、梁１１の両端は、柱１２にそれぞれ２個ずつ取り付けた結合金物１４を介しドリフトピン１３によって結合されている。梁１１の端部には縦方向のすり割りがあらかじめ形成されており、この箇所に２個の結合金物１４の差込み部３を挿し込む。このとき、すり割りの方向と２個の結合金物１４の差込み部３の面が整列しないと差込みが困難となるが、回り止め突起８が回転工具を用いて結合金物１４を取り付けるときに、結合金物１４の共回りによる位置ずれを防止するので、２個の結合金物１４の差込み部３を整列させやすい。このような構造において、結合金物１４は、梁成に応じて３個併用されることもある。
図９は、大梁１１，１１の間に小梁１１ａが取付けられた例であり、結合金物１４の使用例の一つである。
【００１５】
以上、実施形態について説明した。基部２の形態として、実施形態では、環状壁５が底壁４の周囲から立ち上がった容器形の例を示したが、逆に、底壁４を天井とするように立ち下がるものであってもよい。基部２に対する差込み部３の取り付け方は溶接に限らない。蝶番のようにして回動できるように取り付けることもある。さらに、基部２に対する取付け部の取り付け方向は基板２の面に対して垂直ではなく、傾斜して取り付けることもある。
基部２や差込み部３の各寸法は、要求される強度や構造材の大きさに応じて適切なものが選択される。
ドリフトピン１３はボルトナットに変えることもできる。
【図面の簡単な説明】
【００１６】
【図１】結合金物の斜視図（第１の実施例）。
【図２】正面図。
【図３】平面図。
【図４】取付けの状態を説明するための模式図。
【図５】結合金物の斜視図（第２の実施例）。
【図６】正面図。
【図７】取付けの状態を説明するための模式図（柱と梁との結合）。
【図８】取付けの状態を説明するための模式図（複数の結合金物を利用）。
【図９】取付けの状態を説明するための模式図（大梁と小梁との結合）。
【符号の説明】
【００１７】
１  結合金物
２  基部
３  差込み部
４  底壁
５  環状壁
６  ドリフトピン挿通孔
７  張出し部分
８  回り止め突起
９  ビス孔
１０  土台
１１  梁
１２  柱
１３  ドリフトピン
１４  結合金物（第２の実施例）
１５  あご掛け溝
【図１】
2009162037.tif 000003
【図２】
2009162037.tif 000004
【図３】
2009162037.tif 000005
【図４】
2009162037.tif 000006
【図５】
2009162037.tif 000007
【図６】
2009162037.tif 000008
【図７】
2009162037.tif 000009
【図８】
2009162037.tif 000010
【図９】
2009162037.tif 000011